(57)【要約】【課題】結像性能の劣化となる光学素子の変形及び位置ずれによる収差を低減することで所望の光学性能をもたらす保持装置、露光装置及びデバイス製造方法を提供する。【解決手段】光学部材を保持するための複数の支持部と、前記複数の支持部の間に配置され、前記光学部材に重力方向と垂直な方向に弾性力を印加する弾性部材とを有することを特徴とする保持装置を提供する。【選択図】          図１
2004347814.tif 000002
【特許請求の範囲】
【請求項１】
光学部材を保持するための複数の支持部と、
前記複数の支持部の間に配置され、前記光学部材に重力方向と垂直な方向に弾性力を印加する弾性部材とを有することを特徴とする保持装置。
【請求項２】
前記重力方向と垂直な方向は、前記光学部材の径方向であることを特徴とする請求項１記載の保持装置。
【請求項３】
前記弾性部材は、前記光学部材の中心方向に押圧力を加えることを特徴とする請求項１又は２記載の保持装置。
【請求項４】
前記弾性部材は、前記光学部材の反重力方向の弾性力を印加することを特徴とする請求項１乃至３のうちいずれか一項記載の保持装置。
【請求項５】
前記光学部材は、外周側面に断面Ｖ字形状の溝を有し、
前記弾性部材は、前記断面Ｖ字形状の溝に２点で接触する曲率を有して前記弾性力を印加する印加面を有することを特徴とする請求項１記載の保持装置。
【請求項６】
前記弾性部材が印加する前記反重力方向の弾性力の総和は、前記光学部材の重量と等しいことを特徴とする請求項４記載の保持装置。
【請求項７】
前記保持部材は、前記支持部を３つ有しており、前記３つの支持部の間それぞれに、前記弾性部材を有していることを特徴とする請求項１記載の保持装置。
【請求項８】
前記３つの支持部は、１２０°ピッチで配置されることを特徴とする請求項７記載の保持装置。
【請求項９】
前記光学部材は、レンズ、ミラー又はフィルターの一であることを特徴とする請求項１記載の保持装置。
【請求項１０】
請求項１乃至６のうちいずれか一項記載の保持装置を備え、当該保持装置に保持された光学部材を介してマスク又はレチクルに形成されたパターンを被処理体に露光する光学系を有することを特徴とする露光装置。
【請求項１１】
請求項１０記載の露光装置を用いて被処理体を露光するステップと、
露光された前記被処理体に所定のプロセスを行うステップとを有することを特徴とするデバイス製造方法。
【発明の詳細な説明】
【０００１】
【発明の属する技術分野】
本発明は、一般には、光学部材を搭載する精密機械、特に、露光装置等の投影光学系に関し、更に詳細には、半導体素子、撮像素子（ＣＣＤ等）又は薄膜磁気ヘッド等を製造するためのリソグラフィー工程に使用される露光装置において、原版（例えば、マスク及びレチクル（なお、本出願ではこれらの用語を交換可能に使用する。））の像を被処理体（例えば、半導体ウエハ用の単結晶基板、液晶ディスプレイ（ＬＣＤ）用のガラス基板）に投影露光する際、より正確な結像関係を得るための光学部材の保持装置に関する。
【０００２】
【従来の技術】
フォトリソグラフィー技術を用いてデバイスを製造する際に、マスクに描画された回路パターンを投影光学系によってウエハ等に投影して回路パターンを転写する投影露光装置が従来から使用されている。投影光学系は、回路パターンからの回折光をウエハの上に干渉させて結像させる。
【０００３】
近年の電子機器の小型化及び薄型化への要請を実現するためには、電子機器に搭載されるデバイスを高集積化する必要があり、転写される回路パターンの微細化、即ち、高解像度化がますます要求されている。高解像力を得るためには、光源の波長を短くすること、及び、投影光学系の開口数（ＮＡ）を上げることが有効であり、同時に投影光学系の収差を極めて小さく抑えなくてはならない。
【０００４】
投影光学系を構成するレンズ、ミラーなどの光学素子に変形が生じると、変形前後で光路が屈折し、一点に結像するべき光線が一点に収束せずに収差を生じる。収差は位置ずれを招いてウエハ上の回路パターンの短絡を招く。一方、短絡を防止するためにパターン寸法を広くすれば微細化の要求に反する。
【０００５】
従って、収差が小さい投影光学系を実現するためには、投影光学系を構成する光学素子の変形及び光軸に対する位置を変化させることなく投影光学系内に保持して、光学素子が有する本来の光学的性能を最大限に引き出す必要がある。特に、近年の投影光学系の高ＮＡ化により、投影レンズは大口径化しているのでレンズ容積も大きくなり、自重による変形が発生しやすくなっている。また、最近盛んに研究が進められている回折光学素子も、その特徴の一つである薄さのために形状が変化しやすくなっている。
【０００６】
そこで、図１１に示すように、セル１１００に形成された少なくとも３箇所以上（実施例では３０箇所）のレンズ支持点１２００と、かかるレンズ支持点１２００のレンズ１３００を挟んだ対向側からバネ１４００でレンズ１３００を押えて固定する保持装置１０００が提案されている（例えば、特許文献１参照。）。その際、フッ化カルシウム（ＣａＦ２）のような低破壊強度のレンズでも割れないように押圧力が設計（計算）されている。ここで、図１１は、一例としての従来の保持装置１０００を示す分解斜視図である。
【０００７】
また、図１２に示すように、セル２１００の内周の３箇所に等間隔で設けられた半径方向屈曲マウント部２２００の受座にレンズを設置し、その上部より、レンズ形状に倣って押圧可能な光軸方向以外の剛性が低いバネ部材でレンズを固定する保持装置２０００が提案されている（例えば、特許文献２参照。）。その際、屈曲マウント部２２００の間は、ソフトマウント部２３００によりレンズの自重たわみが最小となるように、且つ、レンズの位置決めを過度に拘束しないようにレンズを分散して支持している。ここで、図１２は、一例としての従来の保持装置２０００を示す概略上面透視図である。
【０００８】
【特許文献１】
特開２００１−２８４２２６号公報
【特許文献２】
特開２００１−７４９９１号公報
【０００９】
【発明が解決しようとする課題】
しかし、特許文献１において提案されている保持装置１０００は、レンズ支持点１２００の平面度（例えば、レンズ支持点１２００の高さにばらつきがあれば、レンズ支持点１２００を３０箇所以上設けても、実際にはその内の３箇所で支持していることになる）及びレンズの変形に関して考慮されておらず、単にレンズを割らずに光軸に対して垂直方向にずれない（即ち、横ずれを生じない）レンズの固定に目的が集中している。従って、レンズの変形の観点から、収差が小さい投影光学系を実現することが困難である。
【００１０】
また、特許文献２において提案されている保持装置２０００は、レンズの変形（歪み）に関しては繊細な構成であるが、レンズの横ずれを防止するための押圧力を得るためには３箇所の屈曲マウント部２２００のバネ部材からレンズに加わる荷重が大きくなる。従って、複屈折及びレンズ割れの観点から、実現することが困難である。
【００１１】
そこで、本発明は、結像性能の劣化となる光学素子の変形及び位置ずれによる収差を低減することで所望の光学性能をもたらす補正部材、保持装置、露光装置及びデバイス製造方法を提供することを例示的目的とする。
【００１２】
【課題を解決するための手段】
上記目的を達成するために、本発明の一側面としての保持装置は、光学部材を保持するための複数の支持部と、前記複数の支持部の間に配置され、前記光学部材に重力方向と垂直な方向に弾性力を印加する弾性部材とを有することを特徴とする。
【００１３】
本発明の別の側面としての露光装置は、上述の保持装置を備え、当該保持装置に保持された光学部材を介してマスク又はレチクルに形成されたパターンを被処理体に露光する光学系を有することを特徴とする。
【００１４】
本発明の更に別の側面としてのデバイス製造方法は、上述の露光装置を用いて被処理体を露光するステップと、前記露光された前記被処理体に所定のプロセスを行うステップとを有することを特徴とする。
【００１５】
本発明の他の目的及び更なる特徴は、以下添付図面を参照して説明される好ましい実施例によって明らかにされるであろう。
【００１６】
【発明の実施の形態】
以下、添付図面を参照して、本発明の例示的な保持装置１００及び露光装置２００について説明する。但し、本発明は、これらの実施例に限定するものではなく、本発明の目的が達成される範囲において、各構成要素が代替的に置換されてもよい。例えば、本実施形態では、保持装置１００を例示的に露光装置２００の投影光学系２３０に適用しているが、露光装置２００の照明光学系２１４、その他周知のいかなる光学系に適用してもよい。ここで、図１は、露光装置２００の投影光学系２３０に適用される本発明の保持装置１００を示す概略斜視図である。重力方向（反重力方向）は、光学部材１１０の光軸方向と一致し、図面矢印方向である。重力方向（反重力方向）と光学部材の光軸方向とが一致した場合が、光学部材の自重変形が大きくなり、光学性能に大きな影響を与える場合が多いので、本実施形態においては、重力方向と光学部材の光軸方向とが一致する場合に対して本発明を適用した。
【００１７】
図１によく示されるように、保持装置１００は、セル部材１２０と、支持部１３０と、弾性部材１４０とを有し、光学部材１１０を保持する。
【００１８】
光学部材１１０は、図２に示すように、外周側面に断面Ｖ字形状の溝１１２を有し、後述する支持部１３０に支持される。図２は、図１中に破線Ａで示した光学部材１１０の外周側面（溝１１２）の要部拡大断面図である。光学部材１１０は、屈折、反射及び回折等を利用して光を結像させる。光学部材１１０は、例えば、レンズ、平行平板ガラス、プリズム、ミラー及びフレンネルゾーンプレート、キノフォーム、バイナリオプティックス、ホログラム等の回折光学素子を含む。本実施形態においては、光学部材１１０は、溝１１２を介して支持部１３０に支持されているが、支持部１３０に載置されて支持されてもよい。なお、光学部材１１０を支持部１３０に載置する場合は、光学部材１１０に関して支持部１３０と対向する側に光学部材１１０を押圧することによって支持部１３０と共に光学部材１１０の光軸方向（縦方向）の位置を固定する押圧部材を配置する。また、溝１１２の断面はＶ字形状をなしているが、これに限定されず、丸形状などとして実現されてもよい。
【００１９】
セル部材１２０は、３点において光学部材１１０を支持する支持部１３０と、後述する弾性部材１４０とを載置する。セル部材１２０は、光軸を中心とするリング状部材であり、実質的に光学部材１１０の線膨張率と等しい線膨張率を有する材料から構成される。例えば、光学部材１１０が石英レンズの場合には、セル部材１２０は、スパーインバー材を使用する。かかる構成により、温度環境変動時に、線膨張率の違いから生じる光学部材１１０とセル部材１２０の相対変位により、光学部材１１０が支持部１３０及び弾性部材１４０を介して外力を受けて変形したり、ストレスがかかったりすることを防止することができる。
【００２０】
図３には、図１に示す支持部１３０の拡大分解斜視図を示している。支持部１３０は、図３に示すように、光学部材１１０の溝１１２に接触する接触部１３２を有し、溝１１２を介して３点において光学部材１１０を支持する。即ち、支持部１３０は、光軸を中心として１２０°ピッチでセル部材１２０の３箇所に配置されている。このように、支持部１３０は、光学部材１１０の円周方向に沿って等間隔で分布しているために、光学部材１１０を安定して支持することができる。支持部１３０の先端の接触部１３２には、例えば、球状の吸収部材１３２ａが形成されており、光学部材１１０に損傷を与えることなく、図４に示すように、吸収部材１３２ａの２点において断面Ｖ字形状の溝１１２と接触して光学部材１１０を支持する。従って、光学部材１１０を過剰拘束することなく光軸方向（縦方向）の位置を決めることができる。ここで、図４は、光学部材１１０の溝１１２と支持部１３０の吸収部材１３２ａとの接触状態を示す概略断面図である。
【００２１】
また、図５に示すように、球状の吸収部材１３２ａに相当するコーン形状の孔１１４を光学部材１１０の外周側面の３箇所に等間隔で形成し、かかる孔１１４に支持部１３０（の吸収部材１３２ａ）を当接させてもよい。その場合、過剰拘束による光学部材１１０の変形を避けるため、３つの支持部１３０のうち少なくとも一つは、接触部１３２（及び吸収部材１３２ａ）が光学部材１１０の半径方向に変位可能なバネ機構１３２ｂを有することが好ましい。ここで、図５は、図１に示す支持部１３０の拡大分解斜視図である。なお、支持部１３０は、ピンＰ１を介してセル部材１２０に接合されている。
【００２２】
弾性部材１４０は、３つの支持部１３０の間に配置され、光学部材１１０に反重力方向及び反重力方向に垂直な方向に弾性力を印加する。弾性部材１４０は、図６に示されるように、ピンＰ２及びスペーサーＳ１を介してセル部材１２０に接合されている。弾性部材１４０は、例えば、板バネで構成される。図６は、図１に示す弾性部材１４０の拡大分解斜視図である。
【００２３】
弾性部材１４０は、光学部材１１０の断面Ｖ字形状の溝１１２に２点で接触する曲率を有して光学部材１１０に反重力方向及び反重力方向に垂直な方向の弾性力を印加する印下面１４２を有する。印下面１４２は、例えば、弾性部材１４０の先端部（即ち、光学部材１１０の溝１１２に接触する部位）をパイプ状に曲げ加工を行って形成する。弾性部材１４０は、パイプ状の印下面１４２の外周２点で、光学部材１１０の断面Ｖ字形状の溝１１２に接触するように光軸方向に位置調整されてセル部材１２０に固定される。なお、弾性部材１４０の光軸方向の位置調節は、セル部材１２０の光軸方向の高さを変えたり、セル部材１２０と弾性部材１４０との間にスペーサーを設けてかかるスペーサーの光軸方向の高さを変えたりして行う。
【００２４】
弾性部材１４０は、重力方向に変位することで、反重力方向に弾性力を得ることができる。即ち、弾性部材１４０は、図７に示すように、光学部材１１０の溝１１２に接触する接触点Ａ及びＢを介して光学部材１１０に反重力方向及び反重力方向に垂直な方向の弾性力を印加する。即ち、点Ａにおいては、弾性部材１４０が重力方向に変位することで生じた反重力方向の弾性力は、光学部材１１０の溝１１２によって反重力方向の弾性力Ａ１と反重力方向に垂直な方向の弾性力Ａ２に分散されて印下面１４２を介して光学部材１１０に印加される。点Ｂにおいては、弾性部材１４０が重力方向に変位するための力（例えば、光学部材１１０の重量）が、光学部材１１０の溝１１２によって反重力方向に垂直な方向の弾性力Ｂ１に分散されて印加面１４２を介して光学部材１１０に印加される。ここで、図７は、光学部材１１０の溝１１２と弾性部材１４０の印下面１４２との接触状態を示す概略断面図である。従って、弾性部材１４０が光学部材１１０に印加する弾性力Ａ１により光学部材１１０は反重力方向に押し上げられ、弾性部材１４０が光学部材１１０に印加する弾性力Ａ２及びＢ１により光学部材１１０の光軸方向に対して垂直方向（横方向）の位置決めがなされる。
【００２５】
弾性部材１４０が印加する反重力方向の弾性力Ａ１の総和は、光学部材の質量と等しい。即ち、個々の弾性部材１４０が印加する弾性力Ａ１の荷重Ｆは、弾性部材１４０の数をｎ、光学部材１１０の重量をＭとしたとき、以下の数式１を満足するように設定することにより、光学部材１１０の自重変形を低減させることができる。
【００２６】
【数１】
2004347814.tif 000003
【００２７】
弾性部材１４０は、光学部材１１０が光軸に対して垂直方向の位置決めに必要な力を、光学部材１１０に印加する弾性力Ａ２及びＢ１によって分散して与えている。従って、弾性部材１４０は、光学部材１１０を大きく変形させたり、割ったりすることなく光軸に対して垂直方向の位置決めを行うことができる。
【００２８】
以上の構成により、保持装置１００は、支持部１３０によって主に光軸方向の位置決めを行い、弾性部材１４０によって主に光軸に対して垂直な方向の位置決めを行っている。弾性部材１４０で光学部材１１０の重量を分散して支持することにより、光軸に対して回転非対称な自重変形を極小に保つことが可能であり、結像性能の劣化となる光学部材１１０の変形及び位置ずれによる収差を低減することで所望の光学性能を達成することができる。
【００２９】
また、光学部材１１０に光軸方向に対して垂直方向に加速度が加わった場合、弾性部材１４０が荷重を受けるが、弾性部材１４０は印下面１４２を介して溝１１２に２点Ａ及びＢで接触しており、光軸方向の変位が規制されているため、加速度方向には高剛性となり、光学部材１１０の横ずれを防ぐことができる。
【００３０】
本実施形態においては、弾性部材１４０の印下面１４２を板バネの先端をパイプ状に加工して形成したが、曲率を有する円筒状もしくは球状に加工しても同様の効果を得ることができる。弾性部材１４０は、３つの支持部１３０の間全てを埋めるように６９個配置されているが、かかる数は例示的であり、３つの支持部１３０の間に少なくとも１つの弾性部材１４０を等間隔で配置すればよい。また、弾性部材１４０を反重力方向の弾性力を印加する部材と、反重力方向に垂直な方向の弾性力を印加する部材と別体として構成してもよい。
【００３１】
以下、図８を参照して、本発明の保持装置１００を適用した例示的な投影光学系２３０及び投影光学系２３０を有する露光装置２００について説明する。ここで、図８は、本発明の例示的な露光装置２００を示す概略ブロック図である。露光装置２００は、図８によく示されるように、回路パターンが形成されたレチクル２２０を照明する照明装置２１０と、照明されたレチクルパターンから生じる回折光をプレート２４０に投影する投影光学系２３０と、プレート２４０を支持するステージ２４５とを有する。
【００３２】
露光装置２００は、例えば、ステップ・アンド・スキャン方式やステップ・アンド・リピート方式でレチクル２２０に形成された回路パターンをプレート２４０に露光する投影露光装置である。かかる露光装置は、サブミクロンやクオーターミクロン以下のリソグラフィー工程に好適であり、以下、本実施形態ではステップ・アンド・スキャン方式の露光装置（「スキャナー」とも呼ばれる。）を例に説明する。ここで、「ステップ・アンド・スキャン方式」は、レチクルに対してウエハを連続的にスキャン（走査）してレチクルパターンをウエハに露光すると共に、１ショットの露光終了後ウエハをステップ移動して、次の露光領域に移動する露光方法である。「ステップ・アンド・リピート方式」は、ウエハの一括露光ごとにウエハをステップ移動して次のショットの露光領域に移動する露光方法である。
【００３３】
照明装置２１０は、転写用の回路パターンが形成されたレチクル２２０を照明し、光源部２１２と、照明光学系２１４とを有する。
【００３４】
光源部２１２は、例えば、光源として、波長約１９３ｎｍのＡｒＦエキシマレーザー、波長約２４８ｎｍのＫｒＦエキシマレーザー、波長約１５３ｎｍのＦ２エキシマレーザーなどを使用することができるが、光源の種類はエキシマレーザーに限定されず、例えば、ＹＡＧレーザーを使用してもよいし、その光源の個数も限定されない。また、ＥＵＶ光源等を用いてもよい。例えば、独立に動作する２個の固体レーザーを使用すれば固体レーザー間相互のコヒーレンスはなく、コヒーレンスに起因するスペックルはかなり低減する。さらにスペックルを低減するために光学系を直線的又は回転的に揺動させてもよい。また、光源部２１２にレーザーが使用される場合、レーザー光源からの平行光束を所望のビーム形状に整形する光束整形光学系、コヒーレントなレーザー光束をインコヒーレント化するインコヒーレント化光学系を使用することが好ましい。また、光源部２１２に使用可能な光源はレーザーに限定されるものではなく、一又は複数の水銀ランプやキセノンランプなどのランプも使用可能である。
【００３５】
照明光学系２１４は、レチクル２２０を照明する光学系であり、レンズ、ミラー、ライトインテグレーター、絞り等を含む。例えば、コンデンサーレンズ、ハエの目レンズ、開口絞り、コンデンサーレンズ、スリット、結像光学系の順で整列する等である。照明光学系２１４は、軸上光、軸外光を問わずに使用することができる。ライトインテグレーターは、ハエの目レンズや２組のシリンドリカルレンズアレイ（又はレンチキュラーレンズ）板を重ねることによって構成されるインテグレーター等を含むが、光学ロッドや回折素子に置換される場合もある。かかる照明光学系２１４のレンズなどの光学部材の保持に本発明の保持装置１００を使用することができる。
【００３６】
レチクル２２０は、例えば、石英製で、その上には転写されるべき回路パターン（又は像）が形成され、図示しないレチクルステージに支持及び駆動される。レチクル２２０から発せられた回折光は、投影光学系２３０を通りプレート２４０上に投影される。レチクル２２０とプレート２４０は、光学的に共役の関係にある。本実施形態の露光装置２００はスキャナーであるため、レチクル２２０とプレート２４０を縮小倍率比の速度比でスキャンすることによりレチクル２２０のパターンをプレート２４０上に転写する。なお、ステップ・アンド・リピート方式の露光装置（「ステッパー」とも呼ばれる。）の場合は、レチクル２２０とプレート２４０を静止させた状態で露光が行われる。
【００３７】
投影光学系２３０は、レチクル２２０に形成されたパターンをプレート２４０に投影する光学系であり、複数のレンズ素子のみからなる光学系、複数のレンズ素子と少なくとも一枚の凹面鏡とを有する光学系（カタディオプトリック光学系）、複数のレンズ素子と少なくとも一枚のキノフォームなどの回折光学素子とを有する光学系、全ミラー型の光学系等を使用することができる。色収差の補正が必要な場合には、互いに分散値（アッベ値）の異なるガラス材からなる複数のレンズ素子を使用したり、回折光学素子をレンズ素子と逆方向の分散が生じるように構成したりする。
【００３８】
かかる投影光学系２３０のレンズなどの光学部材の保持に本発明の保持装置１００を使用することができる。保持装置１００は、例えば、セル部材１２０に設けられた半径方向の変形を吸収することができるバネ部材によって投影光学系２３０の鏡筒に連結される。このような構成にすることによって、装置輸送時などの温度環境変動時に、線膨張率の違いから生じる鏡筒とセル部材１２０の相対変位により、セル部材１２０が鏡筒に対して偏心することを防止することができる。
【００３９】
なお、保持装置１００は、上述した構成であり、ここでの詳細な説明は省略する。従って、投影光学系２３０は、結像性能の劣化となる光学部材の変形及び位置ずれによる収差を低減することができ、所望の光学性能を達成することができる。
【００４０】
プレート２４０は、ウエハや液晶基板などの被処理体であり、フォトレジストが塗布されている。フォトレジスト塗布工程は、前処理と、密着性向上剤塗布処理と、フォトレジスト塗布処理と、プリベーク処理とを含む。前処理は、洗浄、乾燥などを含む。密着性向上剤塗布処理は、フォトレジストと下地との密着性を高めるための表面改質（即ち、界面活性剤塗布による疎水性化）処理であり、ＨＭＤＳ（Ｈｅｘａｍｅｔｈｙｌ−ｄｉｓｉｌａｚａｎｅ）などの有機膜をコート又は蒸気処理する。プリベークは、ベーキング（焼成）工程であるが現像後のそれよりもソフトであり、溶剤を除去する。
【００４１】
ステージ２４５は、プレート２４０を支持する。ステージ２４５は、当業界で周知のいかなる構成をも適用することができるので、ここでは詳しい構造及び動作の説明は省略する。例えば、ステージ２４５は、リニアモーターを利用してＸＹ方向にプレート２４０を移動することができる。レチクル２２０とプレート２４０は、例えば、同期走査され、ステージ２４５と図示しないレチクルステージの位置は、例えば、レーザー干渉計などにより監視され、両者は一定の速度比率で駆動される。ステージ２４５は、例えば、ダンパを介して床等の上に支持されるステージ定盤上に設けられ、レチクルステージ及び投影光学系２３０は、例えば、床等に載置されたベースフレーム上にダンパ等を介して支持される図示しない鏡筒定盤上に設けられる。
【００４２】
露光において、光源部２１２から発せられた光束は、照明光学系２１４によりレチクル２２０を、例えば、ケーラー照明する。レチクル２２０を通過してレチクルパターンを反映する光は、投影光学系２３０によりプレート２４０に結像される。露光装置２００が使用する投影光学系２３０（及び／又は照明光学系２１４）は、本発明の保持装置１００で保持された光学部材を含んで、光学部材の変形及び位置ずれによる収差を抑えることができるので、高いスループットで経済性よく従来よりも高品位なデバイス（半導体素子、ＬＣＤ素子、撮像素子（ＣＣＤなど）、薄膜磁気ヘッドなど）を提供することができる。
【００４３】
次に、図９及び図１０を参照して、上述の露光装置２００を利用したデバイス製造方法の実施例を説明する。図９は、デバイス（ＩＣやＬＳＩなどの半導体チップ、ＬＣＤ、ＣＣＤ等）の製造を説明するためのフローチャートである。ここでは、半導体チップの製造を例に説明する。ステップ１（回路設計）では、デバイスの回路設計を行う。ステップ２（マスク製作）では、設計した回路パターンを形成したマスクを製作する。ステップ３（ウエハ製造）では、シリコンなどの材料を用いてウエハを製造する。ステップ４（ウエハプロセス）は、前工程と呼ばれ、マスクとウエハを用いてリソグラフィー技術によってウエハ上に実際の回路を形成する。ステップ５（組み立て）は、後工程と呼ばれ、ステップ４によって作成されたウエハを用いて半導体チップ化する工程であり、アッセンブリ工程（ダイシング、ボンディング）、パッケージング工程（チップ封入）等の工程を含む。ステップ６（検査）では、ステップ５で作成された半導体デバイスの動作確認テスト、耐久性テストなどの検査を行う。こうした工程を経て半導体デバイスが完成し、それが出荷される。
【００４４】
図１０は、ステップ４のウエハプロセスの詳細なフローチャートである。ステップ１１（酸化）では、ウエハの表面を酸化させる。ステップ１２（ＣＶＤ）では、ウエハの表面に絶縁膜を形成する。ステップ１３（電極形成）では、ウエハ上に電極を蒸着などによって形成する。ステップ１４（イオン打ち込み）では、ウエハにイオンを打ち込む。ステップ１５（レジスト処理）では、ウエハに感光剤を塗布する。ステップ１６（露光）では、露光装置２００によってマスクの回路パターンをウエハに露光する。ステップ１７（現像）では、露光したウエハを現像する。ステップ１８（エッチング）では、現像したレジスト像以外の部分を削り取る。ステップ１９（レジスト剥離）では、エッチングが済んで不要となったレジストを取り除く。これらのステップを繰り返し行うことによってウエハ上に多重に回路パターンが形成される。本実施例のデバイス製造方法によれば、従来よりも高品位のデバイスを製造することができる。
【００４５】
以上、本発明の好ましい実施例を説明したが、本発明はこれらに限定されずその要旨の範囲内で様々な変形や変更が可能である。例えば、本発明の保持装置は、レンズやミラーやフィルター等の様々な光学部材を保持するために用いることができる。さらに、本発明の保持装置をマスクやウエハを支持するために用いてもよい。
【００４６】
【発明の効果】
本発明の保持装置によれば、光学部材に加える応力を分散することで、光学部材を破壊することなく必要最低限の応力で光学部材の光軸方向及び光軸に対して垂直方向の位置決めを行うと共に、光学部材の自重変形を最小限に抑えて高額部材を保持することができる。
【図面の簡単な説明】
【図１】露光装置の投影光学系に適用される本発明の保持装置を示す概略斜視図である。
【図２】図１中に破線Ａで示した光学部材の外周側面の要部拡大断面図である。
【図３】図１に示す支持部の拡大分解斜視図である。
【図４】光学部材の溝と支持部の吸収部材との接触状態を示す概略断面図である。
【図５】図１に示す支持部の拡大分解斜視図である。
【図６】図１に示す弾性部材の拡大分解斜視図である。
【図７】光学部材の溝と弾性部材の印下面との接触状態を示す概略断面図である。
【図８】本発明の例示的な露光装置を示す概略ブロック図である。
【図９】デバイス（ＩＣやＬＳＩなどの半導体チップ、ＬＣＤ、ＣＣＤ等）の製造を説明するためのフローチャートである。
【図１０】図９に示すステップ４のウエハプロセスの詳細なフローチャートである。
【図１１】一例としての従来の保持装置を示す分解斜視図である。
【図１２】一例としての従来の保持装置を示す概略上面斜視図である。
【符号の説明】
１００                保持装置
１１０                光学部材
１１２                溝
１１４                孔
１２０                セル部材
１３０                支持部
１３２ａ              吸収部材
１３２ｂ              バネ機構
１４０                弾性部材
１４２                印下面
２００                露光装置
２１０                照明装置
２２０                マスク
２３０                投影光学系
２４０                プレート
２４５                ステージ
【図１】
2004347814.tif 000004
【図２】
2004347814.tif 000005
【図３】
2004347814.tif 000006
【図４】
2004347814.tif 000007
【図５】
2004347814.tif 000008
【図６】
2004347814.tif 000009
【図７】
2004347814.tif 000010
【図８】
2004347814.tif 000011
【図９】
2004347814.tif 000012
【図１０】
2004347814.tif 000013
【図１１】
2004347814.tif 000014
【図１２】
2004347814.tif 000015